(57)【要約】【課題】シャワー水栓のホースのガイドを兼ねる配管カバーを有するキャビネットを提供することを目的とする。【解決手段】側端に立設された側板（１２）、（１２）と、背板（１３）及び底板（１１）とから成る上方及び前方が開放したキャビネットにおいて、配管スペース部（１４）を上方から隠蔽する配管カバーは、水平な板部（２１）と、該配管カバー手前にはカバープレート（３）と着脱自在な勘合部（２１３）と、該配管カバー奥部にはキャビネット背板（１３）に固定される突片（２２１）とを有するとともに、該配管カバー手前には垂直な板部（２３１）が立設されている。【選択図】図３
2010284387.tif 000002
【特許請求の範囲】
【請求項１】
側端に立設された側板（１２）、（１２）と、背板（１３）及び底板（１１）とから成る上方及び前方が開放したキャビネット（１）において、配管スペース部（１４）を上方から隠蔽する配管カバーは、水平な板部（２１）と、該配管カバー手前にはカバープレート（３）と着脱自在な勘合部（２１３）と、該配管カバー奥部にはキャビネット背板（１３）に固定される突片（２２１）とを有するとともに、該配管カバー手前には垂直な板部（２３１）が立設されていることを特徴とするキャビネット。
【請求項２】
前記配管カバー（２）奥部の突片（２２１）は、上方に向け立設され、下方から上方にかけ奥側に傾斜させたことを特徴とする請求項１記載のキャビネット。
【請求項３】
キャビネットの背板（１３）下部には背板当て板（１７）が手前方向に突設してなり、前記配管カバー（２）の水平部（２１）の奥部をキャビネット背板当て板（１７）に当設しネジ（６）などで固定できることを特徴とする請求項１記載のキャビネット。
【請求項４】
キャビネットの背板（１３）下部には凹状溝（１３１）が付設され、該配管カバー奥部には係合爪（２２３）が突設され、前記係合爪（２２３）を背板下部に設けた凹状溝（１３１）に係合させ、配管スペース（１４）上方を隠蔽できることを特徴とする請求項１記載のキャビネット。
【請求項５】
配管カバー手前に立設された垂直な板部（２３１）上方は、下方から上方にかけ手前側に傾斜したことを特徴とする請求項１から４のいずれかに記載のキャビネット。
【請求項６】
水平な板部（２１）と配管カバー手前に立設された垂直な板部（２３１）の連接部（２４１）近傍には、少なくとも片方の面に凹状溝部（２４２）を付与したことを特徴とする請求項１から５のいずれかに記載のキャビネット。
【発明の詳細な説明】
【技術分野】
【０００１】
本発明は、洗面化粧台や流し台など、キャビネット内に垂下された水栓のシャワーホースのガイドを兼ねる配管カバーを有するキャビネットに関する。
【背景技術】
【０００２】
従来のシャワーホースの挙動をガイドするものとしては、例えば、特許文献１に記載されているものがある。すなわち、当該ホースガイドは、キャビネットの背板に固定される取付部と、取付部の前方に円弧状に突出し、上方が拡開した正面視、漏斗状の挿通部とからなり、シャワーヘッドの取付位置に係わらず、ホースの出し入れが円滑に案内されるようになされたものであることを特徴とするシャワーヘッドのホースガイド、となっている。
また、特許文献２に記載されているものは、ホースガイドがホースを収納可能な筒状に形成され、当該ホースガイドの内周面に、ホースの外径よりも幅寸法が狭い入り口部とホースの外径よりも内径が大きく形成された係止部とから成る抜け止め部が設けられ、当該抜け止め部は、入り口部が幅方向に弾性的に拡縮して、前記ホースの着脱が可能に構成されていることを特徴とするシャワー水栓のホースガイドとなっている。
【先行技術文献】
【特許文献】
【０００３】
【特許文献１】特開２００４−３３９８２７号公報
【特許文献２】特開２００２−２３５３４９号公報
【発明の概要】
【発明が解決しようとする課題】
【０００４】
前記特許文献１に記載のホースガイドを有するキャビネットはキャビネットの高い位置にガイドを取り付けるため、ホースの下側の挙動を規制しにくく、ホースが引き出しの背板などに干渉することがあった。
【０００５】
また、前記特許文献１，２に記載のホースガイドを有するキャビネットは、ホースガイドをキャビネットの背板部に係止具などで固定しなければならず、取り付け工数を要していた。
【０００６】
本発明は、前記問題点を解決するためになされたもので、流し台などキャビネット内に垂下されたシャワー水栓のホースをガイドする機能を配管カバーに付与し、ホース下側の挙動を規制できるようにしたことで引き出しの背板などとの干渉を防止し、且つホースガイドを取り付ける工数を軽減することを目的としている。
【課題を解決するための手段】
【０００７】
前記課題を解決するために、本発明の請求項１に記載のキャビネットは、
側端に立設された側板と、背板及び底板とから成る上方及び前方が開放したキャビネットにおいて、配管スペース部を上方から隠蔽する配管カバーは、水平な板部と、該配管カバー手前にはカバープレートと着脱自在な勘合部と、該配管カバー奥部にはキャビネット背板に固定される突片とを有するとともに、該配管カバー手前には垂直な板部が立設されていることを特徴とする。
この発明によれば、該配管カバーの手前に垂直な板部が立設されているために、該板部と水平な板部が、シャワー水栓のホースを捕獲し、ホースが手前側にはみだすことを防止できる。また、別途シャワーホースガイドなどの部品を取り付ける必要がなくなり、工数とコストを大幅に削減できる。
【０００８】
本発明の請求項２に記載のキャビネットは、請求項１に記載の発明に加えて、
前記配管カバー奥部の突片は、上方に向け立設され、下方から上方にかけ奥側に傾斜させたことを特徴とする。
この発明によれば、配管カバー奥部をネジなどの係止具で固定する際に、奥部突片が傾斜しているため、該配管カバー手前に立設した垂直な板部を回避しながら上方より傾斜角度をつけた状態で係止具取付具などを挿入できる。
【０００９】
本発明の請求項３に記載のキャビネットは、請求項１に記載の発明に加えて、キャビネットの背板下部には背板当て板が手前方向に突設してなり、前記配管カバーの水平部の奥部をキャビネット背板当て板に当設しネジなどで固定できることを特徴としている。
この発明によれば、配管カバー奥部をネジなどの係止具などで固定する際に、固定部を水平な形態で背板当て板に当設できるため、該配管カバー手前に立設した垂直な板部を回避しながら上方より垂直な角度で係止具取付具などを挿入できる。
【００１０】
本発明の請求項４に記載のキャビネットは、請求項１に記載の発明に加えて、キャビネットの背板下部には凹状溝が付設され、該配管カバー奥部には係合爪が突設され、前記係合爪を背板下部に設けた凹状溝に係合させ、配管スペース上方を隠蔽できることを特徴としている。
この特徴によれば、該配管カバー奥部の係合爪を背板凹状溝に係合させるだけでよく、取り付けに要する工数を更に削減できる。
【００１１】
本発明の請求項５に記載のキャビネットは、請求項１から４のいずれかに記載の発明に加えて、
配管カバー手前に立設された垂直な板部上方は、下方から上方にかけ手前側に傾斜したことを特徴とする。
この発明によれば、垂直な板部のホース捕獲領域を拡大できるため、シャワー水栓のホースを捕獲しやすく且つ奥側へ誘導でき、ホースが手前にはみだすことを更に防止できる。
【００１２】
本発明の請求項６に記載のキャビネットは、請求項１から５のいずれかに記載の発明に加えて、
水平な板部と配管カバー手前に立設された垂直な板部の連接部近傍には、少なくとも片方の面に凹状溝部を付与したことを特徴とする。
この発明によれば、浄水器のカートリッジなどを配管カバーの上に載置する場合に障害となる前記垂直な板部を、凹状溝部が付与されたため板厚が薄くなり強度が低くなったために、前記溝から容易に切除できる。
【図面の簡単な説明】
【００１３】
【図１】本発明の一実施例を示すキャビネットの内部斜視図である。
【図２】図１の配管カバー側面図である。
【図３】実施例１における配管カバー奥部固定部を説明する図である。
【図４】実施例２における配管カバー奥部固定部を説明する図である。
【図５】実施例３における配管カバー奥部係合部を説明する図である。
【図６】一実施例である切除可能な配管カバーの手前部拡大側面図である。
【図７】図６の配管カバーの垂直な板部の一部を切除したキャビネットを示す内部斜視図である。
【発明を実施するための形態】
【００１４】
本発明に係るキャビネットを実施するための形態を実施例に基づいて以下に説明する。尚、図１、図７においては紙面左下方側をキャビネットの前面側（手前側）とし、紙面右上方側をキャビネットの後面側（奥側）とし、また、図２、図３、図４、図５、図６においては紙面左側をキャビネットの前面側（手前側）とし、紙面右側をキャビネットの後面側（奥側）として説明する。
【実施例】
【００１５】
実施例に係るキャビネットを、図１から図７を参照して説明する。図１は、実施例におけるキャビネットの内部斜視図であり、例として水道配管５は配管カバー２を貫通し立設し図示しないシャワー水栓の配管と接続され、シャワー水栓のホース４が垂下された状態をあらわしている。図２は実施例における配管カバーの側面図である。図３は実施例１における配管カバー奥部固定部である。図４は実施例２における配管カバー奥部固定部である。図５は実施例３における配管カバー奥部係合部である。図１の符号１は、家庭内のキッチン等に設けられるシステムキッチンのベースキャビネットである。ベースキャビネット１は底板１１、左右の側板１２、１２、背板１３を備え、図示しないが例えば、前面を開閉する扉、または引き出しを複数列で一ないし多段に収納するよう構成されている。
【００１６】
底板１１の後端はキャビネット後端より手前に位置し、前記底板１１後端からキャビネットの後端にわたり、キャビネット下方の横の長さはキャビネットの内法に略等しい大きさで下方に底開口部１６が設けられている。
【００１７】
背板１３の下端はキャビネット下端より上方に位置し、前記背板１３下端からキャビネットの下端にわたり、キャビネット奥側の横の長さはキャビネットの内法に略等しい大きさで後方に奥開口部１５が設けられている。
【００１８】
キャビネットの底隅部に、前記奥開口部１５と略等しい高さで、且つ前記底開口部１６と略等しい奥行き寸法で、側面視略長方形状で配管スペース部１４を形成し、前記配管スペース前面をカバープレート３で、上方を配管カバー２で隠蔽している。
【００１９】
前記配管カバー２の手前は、カバープレート３と着脱自在に勘合され、奥部は背板１３に固定具などで固定されている。配管カバー２の手前には垂直な板部２３１が立設されているため、垂下されたシャワー水栓のホース４を配管カバー２が捕獲し、配管カバー上に維持させることができる。したがって、配管カバー２やカバープレート３近傍に引き出しの背板（図示せず）が位置する場合、ホース４が配管カバー２からはみだし、引き出しの背板とカバープレート３との間にはさまれて、引き出しが閉まらないなどの不具合を発生させない。
【００２０】
次に配管カバー奥部の固定または係合方法について説明する。
図３は実施例１における固定方法である。前記配管カバー奥部には突片２２１が、上方に向け立設され、下方から上方にかけ奥側に傾斜している。これにより、配管カバー手前の垂直な板部２３１を回避しながらドライバーなどを挿入しネジ６を螺着できるばかりではなく、ネジ頭部を均一に前記配管カバー奥部突片２２１に押圧でき、強固に取り付けることができる。
【００２１】
図４は実施例２における固定方法である。キャビネットの背板１３下部には背板当て板１７が手前方向に突設してなり、前記配管カバー２の水平部に当接させる。これにより、配管カバー手前の垂直な板部２３１を回避しながらドライバーなどを挿入しネジ６を螺着できるばかりではなく、ネジ頭部を均一に前記配管カバー水平部２１に押圧でき、強固に取り付けることができる。
【００２２】
図５は実施例３における固定方法である。配管カバー奥部には垂直な板部２２２と奥方向に突設される係合爪２２３からなり、前記係合爪２２３を背板１３下部に設けた凹状溝１３１に係合又は嵌合させる。これにより、ドライバーなどの工具を使用しなくとも配管カバーを保持できる。
【００２３】
次いで、配管カバー２の手前に立設されている垂直な板部２３１について説明する。
図２において、配管カバー手前に立設された垂直な板部２３１上方は、下方から上方にかけ手前側に傾斜させているので、シャワー水栓のホースを捕獲しやすく且つ奥側へ誘導でき、ホースが手前にはみだすことを防止できる。
【００２４】
次いで配管カバー上に浄水器のカートリッジなどを載置するときに障害となる配管カバーの垂直な板部を切除する方法を図６、７を用いて述べる。
【００２５】
前記配管カバー２の水平な板部２１と、配管カバー手前に立設された垂直な板部２３１の連接部２４１の近傍には、少なくとも片方の面に溝部２４２を設け板厚を薄くし、この部位の曲げ強度を低下せしめている。
【００２６】
浄水器のカートリッジ７が載置される位置の配管カバーの垂直な板部２３１に前記連接部２４１まで縦方向に刃物などで切断する。そして２つ以上に分離された、前記垂直な板部２３１のカートリッジ７が置かれる部位を手前または奥方向に力を加えることで、板厚が薄くなっている前記垂直な板部２３１の連接部２４１から切り離せ、浄水器のカートリッジが載置される位置の配管カバーの垂直な板部を切除することができ、カートリッジ７などの載置が可能になる。
【符号の説明】
【００２７】
１              キャビネット（厨房キャビネット、ベースキャビネット）
１１            底板
１２            側板
１３            背板
１３１          凹状溝
１４            配管スペース
１５            奥開口部
１６            底開口部
１７            当て板
２              （ホースガイド兼用）配管カバー
２１            水平な板部
２１３          勘合部
２２１          突片
２２２          垂直な板部
２２３          係合爪
２３１          垂直な板部
２４１          連接部
２４２          凹状溝部
３              カバープレート
４              （シャワー水栓）ホース
５              水道配管
６              ネジ
７              （浄水器）カートリッジ
【図１】
2010284387.tif 000003
【図２】
2010284387.tif 000004
【図３】
2010284387.tif 000005
【図４】
2010284387.tif 000006
【図５】
2010284387.tif 000007
【図６】
2010284387.tif 000008
【図７】
2010284387.tif 000009